(57)【要約】【課題】ゴルフクラブのグリップを固定的に安定して握ることができるようなゴルフ用手袋を提供すること。【解決手段】本発明はゴルフクラブのグローブに関し、より詳しくはゴルフクラブのグリップを固定的に安定して握ることができるように、親指及び人差し指の背面及び掌側面を全体として連結して他の部位より厚く構成し、親指と人差し指との開きを最小化して、両者の間を厚く固定性を有するように構成することによって、ゴルフグリップ時、手の握力を大きく与えなくてもゴルフクラブのグリップが自然になり、しっかりと握ることができるように構成するとともに、親指と人差し指との開きを最小化する安定したグリップが形成できるようにするグリップの固定力及び密着性を高めたゴルフ用手袋に関する。【選択図】図１【特許請求の範囲】
【請求項１】
手袋状に形成された基底部と；
親指と人差し指と間の溝部分に対応する領域、前記親指と前記人差し指との背面及び掌側面の一部に対応する領域、及び、掌側のうち、人差し指の下部と母指球とを含む領域、に形成され、前記基底部より相対的に大きな厚みを有する領域を提供する充填部と；
を含むことを特徴とする、ゴルフ用手袋。
【請求項２】
前記充填部は、
前記基底部上において、手首の部位まで延長されることを特徴とする、請求項１に記載のゴルフ用手袋。
【請求項３】
前記充填部は、
補強アテを含み、
前記補強アテは、
前記充填部の一部分に形成されることを特徴とする、請求項１に記載のゴルフ用手袋。
【請求項４】
前記補強アテは、
ゴム、シリコン、又は皮革を用いて形成されることを特徴とする、請求項３に記載のゴルフ用手袋。
【請求項５】
前記補強アテは、
前記充填部の内部に形成されることを特徴とする、請求項３に記載のゴルフ用手袋。
【請求項６】
前記充填部と前記基底部とは、
一体に形成されたことを特徴とする、請求項１に記載のゴルフ用手袋。
【請求項７】
前記充填部は、
前記基底部上に取り付けられることを特徴とする、請求項１に記載のゴルフ用手袋。
【請求項８】
前記充填部は、
縫製又は接着によって前記基底部に取り付けられ、皮革、合成皮革、布地のうち、少なくとも一の選択物を用いて形成されることを特徴とする、請求項７に記載のゴルフ用手袋。
【請求項９】
前記充填部は、
前記基底部に形成された樹脂コーティング層を含むことを特徴とする、請求項７に記載のゴルフ用手袋。
【請求項１０】
前記充填部は、
前記親指の第二関節部の掌側面まで延長されることを特徴とする、請求項１に記載のゴルフ用手袋。
【請求項１１】
手袋状に形成された基底部と；
前記基底部のうち、親指と人差し指との間の溝部分、前記人差し指の背面、及び掌側面の一部に対応する領域に形成される第１充填部と；
前記基底部のうち、前記親指の背面及び掌側面の一部に対応する領域、及び、前記掌側面のうち、前記母指球に対応する領域に形成される第２充填部と；
を含み、
前記第１及び第２充填部は、前記基底部に比して相対的に厚い領域を提供することを特徴とする、ゴルフ用手袋。
【請求項１２】
前記第１充填部は、
前記基底部上において、前記第２充填部の下部に対応する手首の部位まで延長されることを特徴とする、請求項１１に記載のゴルフ用手袋
【請求項１３】
前記第１及び第２充填部は、
縫製又は接着によって、前記基底部に取り付けられ、皮革、合成皮革、布地のうちから選択された一の選択物を用いて形成されることを特徴とする、請求項１１に記載のゴルフ用手袋
【請求項１４】
前記第１及び第２充填部は、
コーティングによって、前記基底部の対応部分に取り付けられる樹脂コーティング層を含むことを特徴とする、請求項１１に記載のゴルフ用手袋。
【請求項１５】
前記第２充填部は、
前記親指の第二関節部の掌側面まで延長されることを特徴とする、請求項１１に記載のゴルフ用手袋。
【発明の詳細な説明】
【技術分野】
【０００１】
本発明は、ゴルフ用手袋に関する。より詳しくは、ゴルフクラブのグリップを把持するに際して、小さな力でも、固定性、安定的な締め付け性を提供することが可能であり、さらに、親指及び人差し指が適切な位置に配置されるように、グリップに対する固定性及び密着性が改善されたゴルフ用手袋に関する。
【背景技術】
【０００２】
これまで、既存のゴルフ用手袋は、ゴルファーが、ゴルフクラブを把持する際に、ゴルファーの手に伝わる感覚を重視し、その素材の品質に重点を置いて製造されてきた。従って、事実、ゴルフの分野において、触感及び材質という点に関し、目覚しい発展があった。しかし、ゴルフを楽しむ人が増え、そして、運動量（ラウンド数）が増加するにつれ、ゴルファーの手にかかる疲労度が増大し、狭窄性腱鞘炎（Ｓｔｅｎｏｓｉｎｇ  ｔｅｎｏｓｙｎｏｖｉｔｉｓ；所謂、ばね指（小指部分の靭帯損傷））のような様々な疾患が発生している。ゴルフ関連技術が科学的に、そして、高度な技術になっている現状を踏まえると、ゴルフ用手袋の触感に加え、構造的な改良を通じて、より改善された機能を有するゴルフ用手袋の開発が要求される。
【０００３】
現在、大部分のゴルファーは、それを着用しているにも関わらず、まるで、それを着用していないかのような密着感を提供するゴルフ用手袋を欲している。即ち、ゴルファーは、グリップ感を敏感に伝達することが可能であり、平滑であるが滑らず、かつ、薄いが耐久性があって、長持ちするゴルフ用手袋を好む。
【０００４】
過去のスイングは、リズミカルなスイングの感覚と、感覚的な力加減が要求されていた。一方、現在のスイングは、より科学的な方法に基づき、身体の回転と腕にかかる遠心力との間の相互バランスを要求している。
【０００５】
つまり、上記のような現在のスイングは、ゴルファーが自身の手をどのように使うかということに依存している。実際、ゴルファーは、ゴルフクラブを握る手の力を感覚的に調節してグリップを得ていた。しかし、現在のスイングは、ゴルフクラブを握る手とゴルフクラブとを如何にして自然かつしっかりと一体化させるかという問題に対して、より重点が置かれている。
【０００６】
上記の目的を達成するために、拡張的な機能を備えた多くのゴルフ用手袋が開示されている。
【０００７】
機能性に関する先行技術は以下のように概観される。
【０００８】
韓国実用新案登録出願第２０−２００３−０００５７０６号（特許文献１）は、手の甲部が伸縮性のある網からなるゴルフ用手袋を開示している。上記の手の甲部が伸縮性のある網からなるゴルフ用手袋に関して述べれば、掌と手首の下部とを取り囲む底部は、弱い伸縮性を持つ合成樹脂材の布地からなり、そして、手の甲と手首の上部とを取り囲む手の甲部は、伸縮性を有する網材からなる。さらに、着用しやすいように開口部が設けられ、当該開口部を接着する接着手段が設けられており、これらは、底部に位置する手首の終端部を囲む領域に位置しており、非常に通気性に優れ、指の動きを円滑にし、そして、ゴルファーがこの手袋を装着する際の窮屈感を解消してくれる。
【０００９】
韓国実用新案登録出願第２０−２００２−００２１０３８号（特許文献２）は、正しいスイング姿勢を維持するためのゴルフ用手袋を開示している。このゴルフ用手袋は、親指を除いた四指と掌とが合う領域の一部に形成された内部グリップ把持表示部と、手の甲面に、親指と人差し指とで形成されるＶ字形の外部グリップ把持表示部と、手の甲面に、人差し指と中指との間の付け根部分に形成された直線方向指示点と、手の甲部の下端に取り付けられたスイング姿勢案内表と、を含む。ゴルファーは、グリップを内部グリップ把持表示部に沿って握る。このとき、外部グリップ把持表示部は、手の甲側から見ると、親指と人差し指との間にＶ字を形成する。そして、ゴルファーは、正しいスイング姿勢でグリップを把持するため、手の甲側から人差し指と中指との直線方向指示部を見るように、手の甲を固定する。その後、ゴルファーは、手の甲部分の下端に取り付けられたスイング姿勢案内表を見て、当該表に記載されたとおりにボールを打つべくゴルフクラブをスイングする。ゆえに、先行技術は、常に、ゴルファーが正しいスイング姿勢によりスイングすることを補助することが可能になる。
【００１０】
韓国特許出願第１０−２００１−００３３０５８号（特許文献３）は、グリップを固定するためのゴルフ用手袋を開示するものである。そのゴルフ用手袋は、ゴルフクラブのグリップ端部を握るゴルファーの手の甲側からみて、中指、薬指及び小指側の手の甲の部位とその親指側の手の甲の部位に着脱可能なファスナー固定部がそれぞれ具備された手袋本体と、三つの指の外側を適正圧力で取り囲んで固定させることにより、三つの指の握力を一定に維持できるように、伸縮性を有し、所定の幅を持つ帯状のバンド本体と、着脱可能なファスナー固定部と対応して、接着又は分離されることができる着脱可能なファスナーがバンド本体の両端部にそれぞれ具備されて、手袋本体と結合されるグリップバンドと、を含む。先行技術は、グリップバンドを全体として取り囲んで固定させることで、身体的な制約に関係なくグリップの主要部位に対する握力をグリップバンドによって一定に維持させて自然な状態でグリップすることができるようにし、打球不安定及び飛距離のロスを最小化すると共に、動作におけるグリップ状態をそのまま持続させることができるので、打球方向性を改善することが可能になる。
【００１１】
韓国特許出願第１０−１９９５−７００１１５２号（特許文献４）は、指の関節部位に対応するゴルフ用手袋の後側表面上に視認できるマークが形成されたゴルフ用手袋を開示するものである。このゴルフ用手袋は、ゴルファーが、自身の指関節を置くべきゴルフクラブのグリップ上の望ましい位置を直ちに認識可能にする。また、このマークは、ゴルフ用手袋の上に記載されていてもよいし、或いは、このマークとして、視覚を通じて容易に認識できるように、布地片がゴルフ用手袋に配置されていてもよい。
【００１２】
さらに、この他にも、多様な構造のゴルフ用グローブがあり、手の甲と手首との間に固定棒を具備することにより、手首の折れを最小化するゴルフ用手袋や、ゴムバンドを様々に構成して、手との密着力を高めたゴルフ用手袋などがある。
【００１３】
上記のように、多様な機能性を有する種々のゴルフ用手袋が開発されているが、ゴルフクラブとの固定力を高めることにより、長時間の練習による手の疲労感を減少させることが可能であり、さらに、グリップ姿勢をコントロールすることにより、正確かつ安定な状態でゴルフクラブを握ることが可能な高機能ゴルフ用手袋の開発が求められている。
【００１４】
【特許文献１】韓国実用新案登録出願第２０−２００３−０００５７０６号明細書
【特許文献２】韓国実用新案登録出願第２０−２００２−００２１０３８号明細書
【特許文献３】韓国特許出願第１０−２００１−００３３０５８号明細書
【特許文献４】韓国特許出願第１０−１９９５−７００１１５２号明細書
【発明の開示】
【発明が解決しようとする課題】
【００１５】
本発明は、上記の問題点を解決するために案出されたものである。ゆえに、本発明は、改善されたスイング方法を効果的に補助することが可能なゴルフ用手袋を提供する。
【００１６】
本発明は、人体の解剖学的構造を反映することにより、小さな握力でも強いグリップを可能にするゴルフ用手袋を提供する。
【００１７】
本発明は、緊張状態のようなゴルファーの感情変化があったとしても、ある一定の強さにグリップ力を維持することが可能なゴルフ用手袋を提供する。
さらに、本発明は、手袋を着用した手に若干の緊張状態を維持させることにより、スイングを実行する際、周囲にゆっくりと反応することが可能なゴルフ用手袋を提供する。
【課題を解決するための手段】
【００１８】
本発明にかかるゴルフ用手袋は、一般的な手袋形に形成された基底部と、当該基底部の一部分に形成された充填部とにより構成される。当該基底部は、５本の指型又は他の指型に形成されていてもよく、さらに、当該充填部は、当該基底部と同一の材料を使って形成されていてもよいし、他の材料を利用して形成されていてもよい。この基底部と充填部とが、それぞれ異なる材質を利用して形成されている場合、皮革、布地、又は合成繊維等が使われていてもよい。例えば、皮革又は布地は、縫製、接着、又は縫製と接着との組合せにより、基底部に取り付けられていてもよい。合成繊維は、コーティング層を形成するために、基底部上にコーティングされていてもよい。
【００１９】
より詳細には、充填部は、親指と人差し指との間の溝部、親指と人差し指との背面、及び掌側面の一部、そして掌側のうち、人差し指の下部、及び母指球に対応する領域に形成される。
【００２０】
本発明にかかるゴルフ用グローブは、ゴルファーがゴルフクラブを把持する際に、母指球を、ゴルフ用手袋の他の掌部分よりも薄くすることにより、小さな把持力であっても、グリップの密着性を増大させることが可能であり、さらに、グリップに対する母指球の密着性を増大させることにより、ゴルフクラブの空転を防止することができる。加えて、本発明にかかるゴルフ用手袋は、ゴルファーがゴルフクラブを把持する際に、人差し指と親指との間の付け根部分、及びそれらの上端部を密着させ、さらに、安定的かつ正確な把持性の為にそれらをより厚くすることによって、人差し指と親指とを正しい位置に自然に配置させることができ、結果として、長時間の練習による疲労を最小化し、グリップの不適正な握りを防止することが可能になる。
【発明の効果】
【００２１】
本発明にかかるゴルフ用手袋は、充填部が形成されていることにより安定したグリップを実現することができる。特に、初歩者、又は、指や掌の肉付きが薄くてゴルフクラブのグリップがブレやすいユーザが利用すると、左手の小指、薬指、及び中指に握力を強く与えなくても、グリップをしっかりと把持することが可能になり、結果として、ばね指を予防することができる。
【００２２】
また、力を抜いた状態でも、手とゴルフクラブのグリップとの結束力が高いため、正確な方向性と長い飛距離とを実現することが可能な安定したスイングを助けることができる。その結果、スイングの安定感及び技術面での補完をすることができるため、ゴルフを楽しむユーザに高い成就感を与えることができる。
【発明を実施するための最良の形態】
【００２３】
以下、添付図面を参照しながら、本発明の好適な実施形態について詳細に説明する。しかし、本発明は、これらの実施形態によって限定されるものではない。例えば、本発明の容易な理解のために、右利きを基準として説明するが、同一の内容は、左利きに対しても適用可能である。
【００２４】
図１は、本発明の好適な一実施形態によるゴルフ用手袋を説明するための正面図及び背面図である。図２は、図１のゴルフ用手袋を説明するための側面図であり、図３は、図１のゴルフ用手袋の断面図である。
【００２５】
図１〜図３を参照すると、ゴルフ用手袋は、基底部２と、充填部１０と、により構成される。基底部２は、一般的な厚さを有しており、５本の指部を有する一般的な手袋形に形成されている。基底部２は、中指、薬指、小指、掌、及び左手の甲を含む領域に対応し、この掌と手の甲とは、当該３本の指部と接続されている。充填部１０は、人差し指の第１関節と親指の第１関節とに対応する領域を覆っている。また、充填部１０は、大まかに掌の左半分を覆っており、好ましくは、掌側の人差し指の下端部と、掌側の母指球（親指の付け根の膨らんだ部分）と、に対応する領域を覆っている。従って、充填部１０が形成された一の部分は、基底部２のみが存在する他の部分よりも、より幾分か厚めの厚さを有している。
【００２６】
これによれば、充填部１０は、親指の第１指関節部１１と、人差し指の第１指関節部１２と、親指の母指球部１３と、基底部２の手首部１４と、に連結している。
基底部２は、皮革や合成皮革等のような共通の素材を用いて形成されており、一般的なゴルフ用手袋と同様の標準的な厚さを有している。つまり、基底部２は、典型的なゴルフ用手袋と類似した構造と材質とを有している。
【００２７】
充填部１０は、基底部２と連続して同一の材質により形成されているが、しかし、その厚さは異なる。さらに、必要に応じて、柔軟性の注入物質からなる補強アテ１５は、充填部１０に充填されるか、外形を覆うことにより、厚み部分を形成してもよい。さらに、充填部１０の一部は、補強アテ１５により構成され、他の部分の厚みを調節することも可能である。
【００２８】
図４は、図１のゴルフグローブと類似した他の実施形態にかかる他のゴルフ用手袋の断面図である。
【００２９】
図４に示したように、充填部１０は、基底部２と連続的に形成されるだけでなく、別の皮革又は布地を基底部２上に取り付けることにより提供されうる。充填部１０は、親指の第１関節及び人差し指の第１関節、親指及び人差し指の背面及び掌側面の一部、そして、掌側であって、人差し指の下部及び親指の母指球、に対応するように、裁断されていてもよい。このとき、裁断された充填部１０は、縫製又は接着などの方法により基底部２上に取り付けられる。
【００３０】
さらに、充填部１０は、合成樹脂を用いて形成されていてもよい。合成樹脂は、基底部２上の充填部１０に対応する領域に覆われていてもよい。その結果、充填部１０に対応する樹脂コーティング層が提供されうる。このとき、一般的な捺染方式が使用されてもよい。
【００３１】
図５は、本発明の一実施形態にかかるゴルフ用手袋における補強アテを説明するための正面図及び背面図である。図６は、図５のゴルフ用手袋の断面図である。
【００３２】
図５及び図６を参照すると、補強アテ１５は、皮革、ゴム、シリコン等といった多様な素材により形成されていてもよい。また、ゴルファーの実力水準や好みに応じて、様々な厚さの充填部１０を有する手袋が提供できる。
【００３３】
人体解剖学的に説明すると、充填部１０は、親指と人差し指とに連結した指靭帯、及び掌の筋肉に対して自然な圧力を加え、その結果、ゴルフ用手袋が当該靭帯及び筋肉を緊張させるので、ゴルファーは、リラックスした状態で自然なスイングをすることができる。もちろん、その効果を増加させるために、補強アテ１５は、当該靭帯及び筋肉に当接し、当該靭帯及び筋肉に対する緊張を増加させるように、充填部１０に対して設置される。上記の効果は、多くの運動選手が筋肉の疲労を減少させるために、筋肉や靭帯にテーピングを施すことからも分かる。
【００３４】
図８は、本発明の一実施形態にかかるゴルフ用手袋の一例を説明するための側面図である。図９は、図７の一般的なゴルフ用手袋の一例を説明するための平面図である。図１０は、図８のゴルフ用手袋の一例を説明するための側面図である。
【００３５】
図７及び図９を参照すると、ゴルファーは、ゴルフクラブを、左手の中指、薬指、及び小指、そして、右手の中指及び薬指で把持する。しかし、初心者にとって、ゴルフクラブを上記の方法で把持することは難しく、ゆえに、初心者は、全ての指に自身の力を込めて、ゴルフクラブを握り締めてしまう。即ち、初心者が力を左手の３本指と右手の２本指とに適用したいと思ったとき、力は、左手の小指から腕全体と肩とに適用され、それによって、初心者は、全身が堅くなり、自然なスイングが妨げられてしまうのである。従って、ゴルファーは、ゴルフクラブのグリップを正しく把持した姿勢でスイングしたときにのみ、つまり、自身の力を抜き、高い密着性を持ってゴルフクラブをグリップしたときにのみ、自然な、安定した姿勢でスイングし、長いドライバー距離で正確な方向にボールを打つことができる。
【００３６】
本発明の機能は、従来のゴルフ用手袋の機能と比較されるだろう。一般に、ゴルファーは、ゴルフクラブのグリップを左手の中指、薬指、及び小指、そして、右手の中指及び薬指にて把持する。図７を参照すると、ゴルファーは、連続的に、３本の弱い指によって、ゴルフクラブのグリップを把持するとき、各指に連結する靭帯は、疲労し、それにより、ゴルファーは、ばね指（狭窄性腱鞘炎）のような慢性疾患にかかることがあり、そして、ゴルフクラブのグリップＧは、把持力を緩くしたときに、ゴルファーの掌中で動くことがある。
【００３７】
しかし、図８及び図１０に示すように、手袋を装着後のグリップの側面状況を参照すると、親指の母指球部１３、及び、親指の第１関節部１１と人差し指の第１関節部１２とに対応する充填部１０は、基底部２よりも厚く構成されており、ゆえに、たとえ、中指、薬指、及び小指の把持力が弱いとしても、ゴルフクラブのグリップＧに対する固定性が増加することが可能になる。つまり、たとえ、大きな力が親指と人差し指にかからなくても、親指及び人差し指の第１関節部１１、１２付近の充填部１０により、密着性は、ゴルフクラブのグリップを通じ、近接する部分に適用され、そして、親指の母指球部１３に対応する充填部１０により、たとえ、中指、薬指、及び小指にかかる把持力が弱くても、ゴルフクラブのグリップＧに対する固定性は増大される。
【００３８】
従って、本発明は、ゴルファーが従来のゴルフ用手袋を着用して、ゴルフを長時間プレイした際に、指靭帯にかかる負荷に起因して生じるばね指の問題を解決することが可能になる。
【００３９】
図９は、ゴルファーが従来のゴルフ用手袋を着用し、ゴルフクラブのグリップを把持した状態を示している。ゴルファーが従来のゴルフ用手袋を着用し、ゴルフクラブのグリップを把持した際に、ゴルフクラブのグリップは、親指及び人差し指の付け根部分と、ゴルフクラブのグリップＧとの間に形成された空間３０のために移動してしまう。グリップの移動を阻止する為に、ゴルファーが意識的に空間３０をなくそうと試みたなら、力が人差し指と親指とに適用されるために、正確にスイングすることが難しくなる。
【００４０】
しかし、図１０を参照すると、人差し指と親指との間の充填部１０により、ほとんど空間が生じていない。このように、本発明は、グリップの安定性を提供し、さらに、人差し指と親指との間の付け根は、たとえ、ゴルファーが意識的に当該付け根をグリップに近接させようと試みなくても、自然とグリップに近接する。もちろん、人差し指と親指との間の付け根部と同じ形状を有する追加的な補強アテ４０が、固定性の増加のために、挿入されることは価値があるだろう。
【００４１】
図１１は、本発明の一実施形態にかかるゴルフ用手袋を説明するための前面図及び背面図である。図１２は、図１１のゴルフ用手袋の一例を説明する側面図である。図１３は、図１１の第１充填部と第２充填部との間の接続関係を説明するための部分拡大図である。
【００４２】
図１１〜１３を参照すると、ゴルフ用手袋は、基底部２と、第１充填部５２と、第２充填部５４と、により構成される。一般的な厚さの基底部２と、基底部２に接続された部分とは、左手の小指、薬指、中指、掌、及び手の甲を含む領域に対応し、掌と手の甲とは、３本の指部に接触する。第１充填部５２は、親指の第１指関節と人差し指の第１指関節との間の空間１２ａ、及び、人差し指の背面と掌側面の一部１２に対応し、そして、基底部２上に形成される。これに対し、第２充填部５４は、第１充填部５２に隣接するように形成される。このとき、第２充填部５４は、背面の一部１１と、親指の掌側面と、親指の母指球１３に対応する。
【００４３】
ゴルフ用手袋のための基底部２は、通常天然皮又は人造皮革を材質として利用するため、３〜４枚の裁断された素材を縫製により連結して製作される。従って、実際にゴルフグローブを製造するためには、充填部は縫製という製造工程を考慮しなければならない。従って、本実施形態では充填部を第１充填部５２と第２充填部５４に分け、第１充填部５２及び第２充填部５４を基底部２の布地に予め取り付けることにより、製造工程を簡略化することができる。
【００４４】
このように、第２充填部５４は、接着又は縫製により、基底部２の親指に対応する部分に接合される。第２充填部５４は、背面と、親指の掌側部１１と、その母指球部１３とを覆っている。さらに、第２充填部５４は、親指の掌側部の第２指関節部１１ａに伸びており、つまり、ゴルフクラブと親指とを密着させている。
【００４５】
しかし、縫い目線が、親指と人差し指との間の溝に対応する部分に形成されるような場合、その縫い目線がゴルフクラブに直接触れてしまうかもしれず、その縫い目線がゴルフクラブの平滑な運動を妨げるかもしれない。ゆえに、親指と人差し指との間の溝に対応する基底部上の部分は、親指部分まで伸長され、さらに、背面及び人差し指の掌側面に接続された第１充填部５２は、また、親指と人差し指との間の溝部１２ａに伸長し、全体の溝部１２ａを覆う。つまり、縫い目線ではなく、第２充填部５４がゴルフクラブに当接し、その結果、所定の面接触を維持することが可能になる。さらに、第１充填部５２は、親指と人差し指との間の溝部に対応する部分に、安定的にゴルフクラブを包むことが可能になる。
【００４６】
第１充填部５２と第２充填部５４とは、親指と人差し指との間の溝に対応する領域、背面の一部、親指と人差し指との掌側部、及び親指の母指球部が、基底部２よりも大きな厚みとなるように維持する。従って、ゴルファーがゴルフクラブを握っている間、ゴルファーには、ある程度の緊張を与えることができる。さらに、クラブと手袋との間の空間を取り除き、安定したグリップを可能にする。
【００４７】
さらには、第１充填部５２は、手首部１４まで伸長し、そして、手首部１４は、ゴルファーの手首が屈曲することを防止するための抵抗を提供し、これにより、手首に力がかからないように固定した状態を維持することが可能になる。
【００４８】
上記のように、本発明は、人間の身体構造に安定性を提供し、ゴルファーが高いレベルでプレイすることを助長する。
【００４９】
以上、本発明の好適な実施形態を参照して説明したが、当該技術分野における通常の知識を有する当業者ならば下記の特許請求範囲に記述された本発明の技術的思想及びカテゴリ内で本発明を多様に修正や変形させることができることは明らかである。
【図面の簡単な説明】
【００５０】
【図１】本発明の好適な一実施形態にかかるゴルフ用手袋を説明するための正面図及び背面図である。
【図２】図１のゴルフ用手袋を説明するための側面図である。
【図３】図１のゴルフ用手袋の断面図である。
【図４】図１のゴルフ用手袋と類似した他の実施形態にかかる他のゴルフ用手袋の断面図である。
【図５】本発明の一実施形態にかかるゴルフ用手袋の軟性注入物質（補強アテ）を説明するための正面図及び背面図である。
【図６】図５のゴルフ用手袋の断面図である。
【図７】従来の一般的なゴルフ用手袋の一例を説明するための側面図である。
【図８】本発明の一実施形態にかかるゴルフ用手袋の一例を説明するための側面図である。
【図９】図７の一般的なゴルフ用手袋の使用例を説明するための平面図である。
【図１０】図８のゴルフ用手袋の使用例を説明するための側面図である。
【図１１】本発明の一実施形態にかかるゴルフ用手袋を説明するための正面図及び背面図である。
【図１２】図１１のゴルフ用手袋の使用例を説明するための側面図である。
【図１３】図１１の第１充填部と第２充填部との連結を説明するための部分拡大図である。
【符号の説明】
【００５１】
２    基底部
１０    充填部
１１    親指の背面及び掌側面の充填部
１２    人差し指の背面及び掌側面の充填部
１３    親指の母指球の部位の充填部
１４    手首の部位の充填部
１５、４０    補強アテ
３０    親指と人差し指との間の空間
Ｇ    ゴルフクラブのグリップ
【図１】
2007537775.tif 000002
【図２】
2007537775.tif 000003
【図３】
2007537775.tif 000004
【図４】
2007537775.tif 000005
【図５】
2007537775.tif 000006
【図６】
2007537775.tif 000007
【図７】
2007537775.tif 000008
【図８】
2007537775.tif 000009
【図９】
2007537775.tif 000010
【図１０】
2007537775.tif 000011
【図１１】
2007537775.tif 000012
【図１２】
2007537775.tif 000013
【図１３】
2007537775.tif 000014
【国際調査報告】
2007537775.tif 000015